(57)【要約】  【課題】  真綿を利用して装飾効果の高い真綿中空体を簡易に製造する。  【解決手段】  ゴム風船５に空気を吹き込んでこれを膨張させ、その表面に油脂６を塗る。ゼラチン水溶液７に真綿シート８を浸し、ゴム風船５の表面を覆うようにゼラチン水溶液７のしみこんだ真綿シート８を貼り重ねる。ゴム風船５の吹き口及びその周辺には、ゴム風船５を除去するための開口３ａを形成するために露出部９を設ける。開口３ａの縁には、強度を確保するために、環状枠体１０を真綿シート８で巻き込んで保持させる。ゴム風船５に貼った真綿シート８上には、必要に応じて紐状に撚った真綿や他の装飾片４を貼り付ける。ゴム風船５に貼り付けた真綿シート７を乾燥固化させた後、空気を抜いてゴム風船９を開口３ａから引き出し、真綿中空体１を形成する。クリアラッカー１１を吹き付けて耐水塗装を施す。【選択図】  図２
2014136341.tif 000002
【特許請求の範囲】
【請求項１】
柔軟な空気袋に空気を吹き込んで所定形状に膨張させる工程と、
膨張した前記空気袋の表面に油脂を塗布する工程と、
油脂を塗布した前記空気袋の表面に、空気袋取り出し用の開口を形成するための一部の露出部を残置させて、ゼラチン水溶液を含浸させた複数の真綿シートを所望の厚さに貼り重ねる工程と、
前記空気袋の表面に貼り重ねた真綿シートを乾燥固化させ、膨張した空気袋の外形に対応した中空形状で、開口を有する真綿成形体を形成する工程と、
前記空気袋を収縮させて、前記開口を介して前記真綿成形体内から空気袋を除去する工程と、
前記真綿成形体の表面に耐水塗装を施す工程と、を含むことを特徴とする真綿中空体の製造方法。
【請求項２】
真綿シートを貼り重ねる工程において、所望の色彩、形状の装飾片を併せて貼り重ねることを特徴とする請求項１に記載の真綿中空体の製造方法。
【請求項３】
真綿シートを貼り重ねる工程において、前記露出部を囲む環状の枠体を装着し、真綿シートの縁部で環状の枠体を巻き込んで保持する工程を含むことを特徴とする請求項１又は２に記載の真綿中空体の製造方法。
【請求項４】
前記空気袋は、ゴム風船であることを特徴とする請求項１ないし３のいずれかに記載の真綿中空体の製造方法。
【請求項５】
真綿シートを成形固化してなり、開口を有する真綿中空体と、
前記真綿中空体の開口の縁部に沿うように配置され、真綿シートの縁部に巻き込み保持される環状の枠体と、を具備し、
前記開口を介して真綿中空体の内部に光源を挿入可能に構成されることを特徴とするランプシェード。
【発明の詳細な説明】
【技術分野】
【０００１】
本発明は、内部に光源を配置して透過光の明暗変化で装飾効果を生み、ランプシェードや装飾物などに利用できる真綿中空体を製造する方法に関する。
【背景技術】
【０００２】
従来、綿に接着剤を含浸してシート状に成形し、接着剤を乾燥させ、これを染色した後、花体及び葉体の形状に切断して、厚み方向に剥離し、これらの花体及び葉体を所望の態様に組み合わせ連結する造花の製造方法が知られている（特許文献１参照）。 
【先行技術文献】
【特許文献】
【０００３】
【特許文献１】特開平１０−３２５００９号公報
【発明の概要】
【発明が解決しようとする課題】
【０００４】
この発明は、内部に光源を配置して透過光の明暗変化で装飾効果を生み、ランプシェードや装飾物などに利用できる真綿中空体を簡易に製作する方法と、そのようにして製作された真綿中空体を用いたランプシェードを提供することを目的としている。
【課題を解決するための手段】
【０００５】
上記課題を解決するための、本発明の真綿中空体の製造方法は、柔軟な空気袋５に空気を吹き込んで所定形状に膨張させる工程と、膨張した空気袋５の表面に油脂６を塗布する工程と、油脂６を塗布した空気袋５の表面に一部の露出部９を残置させて、ゼラチン水溶液７を含浸させた複数の真綿シート８を所望の厚さに貼り重ねる工程と、空気袋５の表面に貼り重ねた真綿シート８を乾燥固化させ、膨張した空気袋５の外形に対応した中空形状の真綿成形体３を形成する工程とを含む。真綿成形体３は、露出部９に対応する開口３ａを有する。次いで、空気袋５を収縮させて、開口３ａを介して真綿成形体３内から空気袋５を除去する工程と、真綿成形体３の表面に耐水塗装を施す工程とを経ることにより真綿中空体１を製造する。
真綿シート８を貼り重ねる工程において、所望の色彩、形状の装飾片４を併せて貼り重ねることができる。
また、真綿シート８を貼り重ねる工程において、露出部を囲む形状の環状枠体１０を装着し、真綿シート８の縁部で環状枠体１０を巻き込んで保持することができる。
空気袋５としては、ゴム風船を利用することができる。
製作された真綿中空体１を照明器具２と組み合わせてランプシェードとすることができる。
【発明の効果】
【０００６】
本発明の方法によれば、真綿中空体を簡単に製造することができる。真綿中空体は、真綿の特有の質感を保持し、これにより高い装飾効果を有する装飾体として単独で利用でき、また照明器具と組み合わせてランプシェード等として利用できる。
【図面の簡単な説明】
【０００７】
【図１】本発明に係る真綿中空体の縦断面図である。
【図２】図１の真綿中空体の製造工程の説明図である。
【図３】本発明に係る真綿中空体を用いた照明器具の一部を切り欠いた正面図である。
【発明を実施するための形態】
【０００８】
本発明の実施の一形態を図面を参照して説明する。
【０００９】
真綿中空体１は、図２（Ａ）から（Ｅ）に示す各工程を経ることにより製造する。
【００１０】
先ず、同図（Ａ）に示すように、空気袋としてのゴム風船５に空気を吹き込んで膨張させる。
【００１１】
次に、同図（Ｂ）に示すように、膨らんだゴム風船５の表面に油脂６を塗る。油脂６は市販のサラダ油を使用できる。
【００１２】
次いで、同図（Ｃ）に示すように、１０ｇのゼラチンパウダーを約５０ｃｃの温水に溶かしたゼラチン水溶液７に必要数の真綿シート８を浸す。真綿シート８は、袋状のものでもよい。このゼラチン水溶液７のしみ込んだ真綿シート８をゴム風船５の表面に、一部の露出部９を残してこれを覆うように貼り重ね、所望の厚みにする。この間に、例えば真綿を紐状に撚ったもの、あるいは所望形状の色紙片などからなる装飾片４を重ねて貼り込むことができる
【００１３】
図１，図２図（Ｄ）に示すように、露出部９により形成される開口３ａの縁に、強度を確保するための金属製の環状枠体１０を装着し、真綿シート８の縁部に巻き込んで保持する。
【００１４】
次に、貼り付けた真綿シート８を乾燥固化させると、膨張した風船５の外形に対応した中空形状の真綿成形体３が形成される。
【００１５】
この状態でゴム風船５を破裂させ又は吹き口から空気を抜き、図２（Ｅ）に示すように、開口３ａを介して真綿成形体３の内部からゴム風船５を除去する。
【００１６】
次いで、図２（Ｆ）に示すように、真綿成形体３に、クリアラッカー１１を吹き付けるなどして耐水塗装を施すことにより図１に示す真綿中空体１が完成する。
【００１７】
このように形成された真綿中空体１は、図３に示すように、架台２ａ上に光源２ｂを設置してなる照明器具２の当該光源２ｂ上に被せてランプシェードとすることができる。開口３ａを介して光源２を容易に真綿中空体１内に挿入することができる。真綿中空体１は、環状の枠体１０により補強され、また所望の重量を付加される。真綿中空体１は、必要に応じて架台２ａ上に固定することができる。
【００１８】
以上、真綿中空体１をランプシェードに利用する本実施例を示したが、内部に光源を有し、あるいは光源を有しない各種の装飾体に広く適用できる。
また、装飾片４として、ビーズ、押し花、金銀箔、レースなどを採用したり、真綿シート８を着色したりして装飾効果を一層高めることができる。
【符号の説明】
【００１９】
１    真綿中空体
２    照明器具
２ａ  架台
２ｂ  光源
３    真綿成形体
３ａ  開口
４    装飾片
５    ゴム風船（空気袋）
６    油脂
７    ゼラチン水溶液
８    真綿シート
９    露出部
１０    環状枠体
１１    クリアラッカー
【図１】
2014136341.tif 000003
【図２】
2014136341.tif 000004
【図３】
2014136341.tif 000005